(57)【要約】      （修正有）【課題】堆肥化可能有機廃棄物から液肥を製造するための簡素化された工程により、高価な設備や機械を必要としない経済に優れた堆肥化可能有機廃棄物から液肥を製造する方法の提供。【解決手段】堆肥化可能有機性廃棄物から、１．堆肥化可能有機性廃棄物を堆肥化できない廃棄物より分別し、２．分別された堆肥化可能有機性廃棄物の小さな大きさにし、３．事前にきめられた量のメタン発酵消化液をタンク、貯水槽に投入し、４．そのメタン発酵消化液の入ったタンク、貯水槽に上述の小さくなった分別済の堆肥化可能有機性廃棄物をある比率にて投入し、５．そのメタン発酵消化液の入ったタンク貯水槽に上述の小さくなって投入された堆肥化可能有機性廃棄物を攪拌し、６．その結果得られる製品(液肥）と副生産物であるミミズ堆肥製造の原料、及び水生動物の餌となるウジとを併産する方法。【選択図】なし【特許請求の範囲】
【請求項１】
堆肥化可能余剰有機物の大きさを縮小し、メタン発酵消化液に対して一定の決められた比率の範囲内の堆肥化余剰可能有機物をタンク内のメタン発酵消化液中に投入し、堆肥化可能有機物とメタン発酵消化液の混合液を攪拌し、熟成させ、最終製品と同時並行して生産される副生産物を分別、集荷する堆肥化可能余剰有機物から液肥とコプロダクツを生産する方法
【請求項２】
メタン発酵消化液と堆肥化可能余剰有機物から液肥とコプロダクツを生産する方法であって以下に示す工程よりなる。
堆肥化不可廃棄物と堆肥化可能余剰有機物を分別する工程
分別された堆肥化可能余剰有機物の大きさを縮小する工程
事前に決められた量のメタン発酵消化液を、タンク・貯水槽に投入する工程
そのタンク・貯水槽に一定の決められた比率の範囲内の分別され微細化した堆肥化可能余剰有機物を一定の間隔で（日々）投入する工程
その分別され微細化した堆肥化可能余剰有機物とメタン発酵消化液の貯水槽の混合液を一定の間隔で（日々）攪拌する工程
そして、最終製品と同時並行して生産される副生産物を集荷、分別する工程
【請求項３】
タンク・貯水槽における混合液のＰＨを中性域（PH６―８）に維持する請求項１または２に記載の堆肥化可能余剰有機物から液肥とコプロダクツを生産する方法。
【請求項４】
メタン発酵消化液に対する堆肥化可能余剰有機物量を０．１−２０質量％の範囲とする請求項２または３に記載の堆肥化可能余剰有機物から液肥とコプロダクツを生産する方法。
【請求項５】
メタン発酵消化液に対する堆肥化可能余剰有機物量を０．１−１０質量％の範囲とする請求項２〜４のいずれかに記載のメタン発酵消化液と堆肥化可能余剰有機物から液肥とコプロダクツを生産する方法。
【請求項６】
タンク貯水槽における、濃縮されたメタン発酵消化液と堆肥化可能余剰有機物に０．１−１０質量％の範囲で水分を加えて実行する請求項２〜５のいずれかに記載の堆肥化可能余剰有機物から液肥とコプロダクツを生産する方法。
【請求項７】
堆肥化可能余剰有機物を切断機(シュレッダー）または/および、粉砕機(クラッシャー）により、細かくする請求項１〜６のいずれかに記載の堆肥化可能余剰有機物から液肥とコプロダクツを生産する方法。
【請求項８】
メタン発酵消化液はアルコール工場の廃液と汚泥からつくられる請求項１〜７のいずれかに記載の堆肥化可能余剰有機物から液肥とコプロダクツを生産する方法
【請求項９】
最終製品は液体肥料である請求項１〜８のいずれかに記載の堆肥化可能余剰有機物から液肥とコプロダクツを生産する方法
【請求項１０】
副生産物はミミズ堆肥製造の原料としてミミズ培地で餌となる請求項１〜９のいずれかに記載の堆肥化可能余剰有機物から液肥と副生産物を生産する方法。
【請求項１１】
副生産物は水生動物の餌となるウジである請求項１〜１０のいずれかに記載の堆肥化可能余剰有機物から液肥とコプロダクツを生産する方法。 
【発明の詳細な説明】
【技術分野】
【０００１】
本発明は、メタン発酵消化液と堆肥化可能余剰有機物から液肥とコプロダクツを生産する方法に関する。
【背景技術】
【０００２】
現在の堆肥化可能有機廃棄物から液肥を製造するためには複雑な工程が含まれているので、経済性に富んだものではない。また現在の方法では、その工程をおこなうために、高価な設備、機械を必要とする。その結果、現在の方法や工程は、堆肥化可能有機廃棄物から液肥を製造することは困難で、実際的ではなく、経済的に実行、利用することが難しい。
【０００３】
一方、メタン発酵消化液の有効利用には特開２００６−２６５０５２号公報に貯蔵技術が開示されているが、メタン発酵消化液の保存についてのものであり、有効利用についてのものではない。
【先行技術文献】
【特許文献】
【０００４】
【特許文献１】特開２００６−２６５０５２号公報
【発明の概要】
【発明が解決しようとする課題】
【０００５】
現在の堆肥化可能有機廃棄物から液肥を製造するためには複雑な工程が含まれているので、経済性に富んだものではない。また現在の方法では、その工程をおこなうために、高価な設備、機械を必要とする。その結果、現在の方法や工程は、堆肥化可能有機廃棄物から液肥を製造することは困難で、実際的ではなく、経済的に実行、利用することが難しい。
【課題を解決するための手段】
【０００６】
本発明は、堆肥化可能有機性廃棄物から、次のステップにより、液体肥料(液肥）と、同時並行的にコプロダクツを作り出す方法に関するものであり、１．堆肥化可能有機性廃棄物を堆肥化できない廃棄物より分別し、２．分別された堆肥化可能有機性廃棄物の大きさを小さくし、３．事前にきめられた量のメタン発酵消化液をタンク・貯水槽に投入し、４．そのメタン発酵消化液の入ったタンク・貯水槽に上述の小さくなった分別済の堆肥化可能有機性廃棄物をある比率にて投入し、５．そのメタン発酵消化液の入ったタンク貯水槽に上述の小さくなって投入された堆肥化可能有機性廃棄物を攪拌し、６．その結果得られる製品(液肥）と副生産物を集荷、分別するものである。
【０００７】
第１の発明は、堆肥化可能余剰有機物の大きさを縮小し、メタン発酵消化液に対して一定の決められた比率の範囲内の堆肥化可能有機物をタンク内のメタン発酵消化液中に投入し、堆肥化可能有機物とメタン発酵消化液の混合液を攪拌し、熟成させ、最終製品と同時並行して生産される副生産物を分別、集荷する堆肥化可能余剰有機物から液肥とコプロダクツを生産する方法である。
第２の発明は、メタン発酵消化液と堆肥化可能余剰有機物から液肥とコプロダクツを生産する方法であって、以下に示す工程よりなる。
堆肥化不可廃棄物と堆肥化可能余剰有機物を分別する工程
分別された堆肥化可能余剰有機物の大きさを縮小する工程
事前に決められた量のメタン発酵消化液を、タンク・貯水槽に投入する工程
そのタンク・貯水槽に一定の決められた比率の範囲内の分別され微細化した堆肥化可能余剰有機物を一定の間隔で（日々）投入する工程
その分別され微細化した堆肥化可能余剰有機物とメタン発酵消化液の貯水槽の混合液を一定の間隔で（日々）攪拌する工程
そして、最終製品と同時並行して生産される副生産物を集荷、分別する工程
第３の発明は、第１または第２の発明において、タンク・貯水槽における混合液のＰＨを中性域（PH６―８）に維持する堆肥化可能余剰有機物から液肥とコプロダクツを生産する方法である。
第４の発明は、第２または第３の発明において、メタン発酵消化液に対する堆肥化可能余剰有機物量を０．１−２０質量％の範囲とする堆肥化可能余剰有機物から液肥とコプロダクツを生産する方法である。
第５の発明は、第２〜第４のいずれかの発明において、メタン発酵消化液に対する堆肥化可能余剰有機物量を０．１−１０質量％の範囲とする堆肥化可能余剰有機物から液肥とコプロダクツを生産する方法である。
第６の発明は、第２〜第５のいずれかの発明において、タンク・貯水槽における、濃縮されたメタン発酵消化液と堆肥化可能余剰有機物に０．１−１０質量％の範囲で水分を加えて実行する堆肥化可能余剰有機物から液肥とコプロダクツを生産する方法である。
第７の発明は、第１〜第６のいずれかの発明において、堆肥化可能余剰有機物を切断機(シュレッダー）または/および、粉砕機(クラッシャー）により、細かくする堆肥化可能余剰有機物から液肥とコプロダクツを生産する方法である。
第８の発明は、第１〜第７のいずれかの発明において、メタン発酵消化液はアルコール工場の廃液と汚泥からつくられる堆肥化可能余剰有機物から液肥とコプロダクツを生産する方法である。
第９の発明は、第１〜第８のいずれかの発明において、メタン発酵消化液はアルコール工場の廃液と汚泥からつくられる堆肥化可能余剰有機物から液肥とコプロダクツを生産する方法である。
第１０の発明は、第１〜第９のいずれかの発明において、副生産物はミミズ堆肥製造の原料としてミミズ培地で餌となる堆肥化可能余剰有機物から液肥と副生産物を生産する方法である。
第１１の発明は、第１〜第１０のいずれかの発明において、副生産物は水生動物の餌となるウジである堆肥化可能余剰有機物から液肥とコプロダクツを生産する方法である。 
【発明の効果】
【０００８】
本発明は液肥を製造する一般的な方法であるが、非常に稀有なことは、安く、簡単に、効率よく堆肥化可能有機廃棄物から液肥とコプロダクツが製造出来ることである。
【図面の簡単な説明】
【０００９】
【図１】図１は本発明の堆肥化可能有機廃棄物より液肥とコプロダクツを生産する一般的な工程図である。
【図２】図２は本発明の堆肥化可能有機廃棄物より生産された液肥とコプロダクツがどのように生産されるかを示した図である。
【図３】図３は、本発明を実行するためのタンク・貯水槽の様子を示した図である。
【発明を実施するための形態】
【実施例】
【００１０】
本発明の第一の目的は、堆肥化可能有機廃棄物から液肥を製造する簡単で、効率よく、安価な方法とすることで、上述した現在の方法の技術的問題点、非効率性を解決するものである。このように、本発明では、簡単に設置し、維持管理ができる堆肥製造用のタンク、貯水槽だけが必要で、高価で複雑な設備、機械は必要としない。
【００１１】
本発明の次の目的は、現在利用されている方法では悪臭を生じさせるが堆肥化可能有機廃棄物から、液肥・コプロダクツ１５を作り出し方法でメタン発酵消化液によって、堆肥化可能有機廃棄物１０は短期間に簡単に効率よく分解されることで、悪臭を周辺に出すことを抑制することができる。
【００１２】
更に、本発明は、堆肥化可能有機廃棄物より、液肥（LIQUID)・コプロダクツ( CO-PRODUCTS) １５を簡単に作ることができるものである。これらの、本発明が、より優れていることが添付された図によって明らかで、また詳細に理解できるであろう。
【００１３】
図解の図１に関して、堆肥化可能有機廃棄物１０から、液肥（LIQUID)・コプロダクツ１５は図１に示したようなステップで製造される。下記はそれを示したものである。
a.堆肥化不可有機性廃棄物と堆肥化可能有機性廃棄物を分別する。
（SEGRIGATION)  １１
b.粉砕機、切断機によって、分離された堆肥化可能有機性廃棄物の大きさを細かくする  （CRUSHING/SCHREDDING) １２
c.メタン発酵消化液が投入された堆肥製造用のタンク、貯水槽に細かくなった分離済み堆肥化可能有機性廃棄物を事前に決められた率で投入する  (FEEDING INTO COMPOST TANK POND/DRUMS)   １３
d.最終の製品（液肥）・コプロダクツ１５を分離回収する（SEPARATING/COLLECTING)  １４
【００１４】
図２は堆肥化可能有機廃棄物１０から製造された液肥・コプロダクツ １５の講成を示したものである。
主生産品は嫌気性活動（開放系であり、完全な嫌気性環境ではない）によって生成された高品質の液肥１６である。これは、浮遊物（FLOATINGS)１７とウジ(MAGGOTS)１８が同時に生産される。
【００１５】
浮遊物１７はミミズ培地(FEED TO VERMICULTURE)１９に与えられる。詳しくいうと、浮遊物は,ミミズ堆肥肥料(COMPOST FERTILIZER) ２０を生産するミミズ培地に、その餌として与えられ、ミミズが消化することの出来る餌である。
【００１６】
主たる生産物である、高品質の液肥１６は、主として農作物、特に農場や庭(FERTILIZER FOR HOME/GARDEN)21 で,生産される果実、野菜などに利用される。一方、ウジ（MAGGOTS)１８については、養殖池(FISH POND)２２の餌として利用される。
【００１７】
本発明の方法を開始するにあたり、図３で示したようなタンク・貯水槽Ｐを準備する。タンク・貯水槽Ｐは、コンクリートの床Ｂ、底の部分Ｆ、側壁Ｗから構成され,上部は開放式Ｔとなっている。タンク・貯水槽Ｐを清掃するための排水口が側壁Ｗの一つにつけられる（図では記載なし）堆肥化用のタンク・貯水槽Ｐは、コンクリート製で、屋根付の設備があることが望ましい。
【００１８】
本発明では、メタン発酵消化液には、例えば、サトウキビからの抽出液をアルコール発酵を行った廃液をメタン発酵を行った消化液が使用できる。この場合は、組成のバラツキか少ないメタン発酵消化液が大量に得られる。その他、家庭、飲食店、食堂、ホテル、小売り店（スーマーマーケット、コンビニエンスストア等）卸売店、食品加工工場、各種の市場（青果物市場、魚市場）からの廃棄物、農場、畜産場、娯楽施設からの堆肥化可能有機廃棄物をメタン発酵させた消化液が使用できることももちろんである。
【００１９】
本発明では、堆肥化可能有機廃棄物１０から，液肥・コプロダクツ１５を生産するために家庭、飲食店、食堂、ホテル、小売り店（スーマーマーケット、コンビニエンスストア等）、食品加工工場、各種の市場（青果物市場、魚市場）からの廃棄物、農場、畜産場、娯楽施設からの堆肥化可能有機廃棄物を集荷することから始まる。また、それから、人手を使って、または、従来型の機械による選別によって、堆肥化不可廃棄物を取り除く。その分別された堆肥化可能有機廃棄物１０は効果的なプロセスと分解のために小さなサイズにする必要がある。これは粉砕、切断の設備によって実行されるのが好ましいが、人力または従来型の粉砕、切断機でも構わない。
【００２０】
次の工程は、事前に決められた量のメタン発酵消化液を、タンク・貯水槽Ｐに満たすことである。メタン発酵消化液がタンク・貯水槽Ｐが満たされていたら、そこに、細かくなった堆肥化可能有機廃棄物１０を投入する。
【００２１】
本発明では、事前に準備投入されたメタン発酵消化液に対して決められた比率の堆肥化可能有機廃棄物を一定の間隔で（日々）投入するものである。そして、一定の間隔で攪拌するものである。
【００２２】
重要なことは、最終の液肥・コプロダクツ１５を作り出すために、タンク・貯水槽Ｐの菌の活動を維持する必要があるので、一定の間隔で決められた比率の堆肥化可能有機廃棄物１０を投入することが求められる。
【００２３】
結果として発生する製品、液肥・コプロダクツ１５は、高品質の液肥１６、浮遊物１７、ウジ１８で、これらは直ぐに使用するのであれば日々、収穫、更には分別が必要となる。液肥・コプロダクツ１５の収穫は人力または、これまで従来からの機械によって行っても良い。
【００２４】
更に重要なことは、タンク・貯水槽Pにおける混合物のＰＨが中性域（PH６−８）であることで、この判定は、これまでの従来の方法で行われる。ＰＨはメタン発酵消化液と、それに対する一定の比率にて投入される堆肥化可能有機廃棄物の比率に左右される。
【００２５】
ＰＨは原料となる堆肥化可能有機廃棄物の状態により変化するが、この範囲内に維持することが好ましい。ＰＨが６未満の場合、また、ＰＨが８を超える場合は、反応が遅くなる。そのため、ＰＨが６〜８の範囲に入るようにすることが好ましいが、やや酸性、アルカリ性の場合（ＰＨが５〜９）でも、反応は進行する。メタン発酵消化液のＰＨは機器による測定、または、表面状態（泡の発生状態等）により推測する。
【００２６】
本発明における、もう一つの指標は、メタン発酵消化液に対する堆肥化可能有機廃棄物10の実用範囲を０．１質量％から２０質量％とすることである。例えば、タンク・貯水槽Ｐにメタン発酵消化液を、１，０００ｋｇ準備すれば、（１〜）２００ｋｇ以内の堆肥化可能有機廃棄物10を、そのタンク貯水槽Pに一定の間隔で投入して攪拌することである。この量の上下限は配合する堆肥化可能有機廃棄物10の組成により異なる。農産物廃棄系（葉菜、オクラ等）の植物性堆肥化可能有機廃棄物の場合の上限が２００ｋｇであり、畜産系の廃棄物の割合が増加すると、上限値は低くなる。
【００２７】
植物性堆肥化可能有機廃棄物に、畜産系の廃棄物の割合が増加すると、ＰＨが上がるため、投入の上限値は低くなる。この場合の指標は、メタン発酵消化液に対する堆肥化可能有機廃棄物１０の実用範囲を０．１質量％から１０質量％とすることである。例えば、タンク・貯水槽Ｐにメタン発酵消化液を、１，０００ｋｇ準備すれば、（１〜）１００ｋｇ以内の堆肥化可能有機廃棄物１０を、そのタンク貯水槽に一定の間隔で投入して攪拌することである。下限値の０．１％は、それ以下の場合は、表面状態がメタン発酵は進まないため、および、生産性を維持するための値である。
【００２８】
本発明におけるメタン発酵消化液はアルコール製造からの廃液、残渣に由来していることが望ましい。メタン発酵消化液は最終製品である液肥・コプロダクツ１５を生産するための、堆肥化可能有機廃棄物１０を分解する微生物群を含んでいる。堆肥化用タンク・貯水槽Ｐのなかで、メタン発酵消化液と堆肥化可能余剰有機物１０の混合物の濃度が上昇した場合の調整は、メタン発酵消化液に対して、事前に決められた率の水を混合物に投入することが、本発明の方法である。堆肥化可能余剰有機物の混合物の濃度が上がりすぎると、反応速度が低下する。水の比率は、事前に決められたメタン発酵消化液の０．１−１０質量％の範囲である。
【００２９】
水の比率は、事前に決められたメタン発酵消化液の０．１−１０質量％の範囲は、１０質量％以上の投入では希釈されすぎ、反応速度が低下する。下限値の０．１質量％は、実質的な作業能率を考慮した値である。なお、投入は複数回に分けて行うこと、攪拌しつつ行うことが好ましい。
【００３０】
これまでに述べて来たタンク・貯水槽Pにおける、メタン発酵消化液と堆肥化可能余剰有機物１０の混合液の濃度は伝統的な方法にて調べることも可能であるし、混合物において泡の発生が減少することでも、判断が可能である。タンク・貯水槽Ｐの中の濃度は、嫌気性発酵（完全な嫌気性環境ではない）を維持して、求める液肥・コプロダクツ１５が発生するものでなければならない。
【００３１】
本発明をより優位にするために変更することは、この方式においては可能である。本発明は、幅広い便利性をもっているので、本件でしめされた事例にこだわらない。すなわち、本件で示された基本的な考え方から逸脱しない限り、修正をすることは可能である。
【００３２】
メタン発酵消化液には、アルコール工場の廃液と汚泥からの抽出液を用いたが、これにかぎられるものではない。アルコール工場の対象物は、トウモロコシ、サトウキビ、各種醸造工場の廃液、汚泥からの抽出液も使用可能である。
【実施例１】
【００３３】
分解能力の確認のために連続投入はせずに、設定後の変化と、その液体での農業利用、ミミズが生息できる土壌が確保されているかどうか（ｏｅｃｄの化学物質の残存度の影響調査の方式に近い方法で）を行なった。（試験Ａ）
結果を表１〜表６に示す。
【００３４】
【表１】
2015174820.tif 000002
【００３５】
【表２】
2015174820.tif 000003
【００３６】
【表３】
2015174820.tif 000004
【００３７】
【表４】
2015174820.tif 000005
【００３８】
【表５】
2015174820.tif 000006
【００３９】
【表６】
2015174820.tif 000007
【００４０】
結果を纏めると以下のようになる。
１．生ゴミを粉砕してメタン発酵消化液に投入すると、分解が進む。
２．その状況は泡の発生という形で確認できる。
３．繊維質は主として浮遊物となって分解に時間がかかるが、柔らかくなる。ことによってミミズの餌として利用できることが確認された。
４．浮遊物を順じ利用してゆくことで、メタン発酵消化液の濃度は下がり連続投入への応用が見えてきた。
５．農産物の施肥にも、問題がないようであることが確認された。
６．２５日で泡の発生が少なくなっていることは、メタン発酵発電の投入比率と似たような数値である。これから連続投入の量を考えると４−５％が一つの指標になると思われる。
【実施例２】
【００４１】
実施例１（試験Ａ）の結果より連続投入による結果と泡の発生、ＰＨの変化をテストする。（試験Ｂ）その結果を表７、表８に示す。
【００４２】
【表７】
2015174820.tif 000008
【００４３】
【表８】
2015174820.tif 000009
【実施例３】
【００４４】
実施例１（試験Ａ）をふまえて、通常の家庭よりの生ゴミ(各種のものが混じっている）を分解テストした。粉砕機は、小型のもので、ペースト状にはならず、切断されたような状態である。結果を表９、表１０に示す。
【００４５】
【表９】
2015174820.tif 000010
【００４６】
【表１０】
2015174820.tif 000011
【００４７】
上記の３つの試験結果（実施例1〜３）より、以下の結論を得た。
１．生ゴミ、余剰有機物をメタン発酵消化液で分解すことは可能である。
２．分解が可能な物質を分別して、できることならばペースト状にすりつぶすことが望ましいが、機械の設置の問題などで、切断だけでも行うことで効果がある。
３．メタン発酵消化液と物質の接触面積を増やすために切断、粉砕が必要であるが、同時に適度な攪拌をすることは必要である。
４．分解の活動は泡が発生していることで確認することが出来る。分解が進んで完了すると、泡の発生が止まる。再度投入をすると、泡の活性が再開することも確認できている（別途）。
５．ＰＨを中性域に保つことで、分解の状態を保つことができる。
６．取り出した余剰メタン消化液(拡大したもの）は、液体肥料として野菜などに与えた場合に、通常の発電から発生するメタン発酵消化液と同等の効果が見られる。
７．浮遊物はミミズ培地で有効な餌となる。これは適度に残った繊維質が空気層を作ってミミズの侵入に効果てきであることと、ミミズが好むＰＨのレベルにあることである。腐敗菌などが多い場合はＰＨは酸性が強く、ゴミの山にミミズを放っても中には入り込まない。ミミズが入り込むこと自体が、すでに堆肥製造の有効な原料となっていることを示していると考えられる。
【実施例４】
【００４８】
５ｍ×１．１ｍ×1.2ｍ（液体の深さは０．８ｍ）のタンク・貯水槽Ｐにサトウキビからのアルコール工場からの廃液、残渣からなるメタン発酵消化液（PH７.5）を４，４００リットル投入した。その後、粉砕したオクラくずを、攪拌しつつ２００ｋｇを毎日投入した。その後の１日毎のPHは、７．５で変化はなかった。最初の投入後から20日後にオクラくずを攪拌しつつ７００ｋｇ投入した。その結果、PHは5.5を計測し泡の発生が減少した.不純物として石灰が混入し、PHが8.5になり泡の発生が減少した。（反応速度が低下した。）
【実施例５】
【００４９】
その後、タンク・貯水槽Ｐ内より、液肥・コプロダクツ１５を抽出後、野菜（キャベツ）：１００Kg、オクラ：２００Kg、水産工場からの廃棄物（魚のあら）：１００Kgを投入した。この場合には、濃度が上昇したため、泡の発生が減少した。そのため水：１００ｋｇを投入し、平常状態に復帰させた。
【産業上の利用可能性】
【００５０】
生物系廃棄物の利用産業を盛んにできる。
【符号の説明】
【００５１】
１０  堆肥化可能有機廃棄物
１１  分別（SEGRIGATION)
１２  粉砕、切断（CRUSHING/SCHREDDING) １２
１３  投入  (FEEDING INTO COMPOST TANK POND/DRUMS)
１４  分離回収（SEPARATING/COLLECTING)  
１５  液肥（LIQUID)・コプロダクツ（CO-PRODUCTS）
１６  液肥（LIQUID)
１７  浮遊物（FLOATINGS)
１８  ウジ(MAGGOTS)
１９  ミミズ培地(FEED TO VERMICULTURE)
２０  ミミズ堆肥肥料(COMPOST FERTILIZER) 
２１  農場や庭(FERTILIZER FOR HOME/GARDEN)
２２  養殖池(FISH POND) 
Ｐ    タンク・貯水槽  
Ｂ    コンクリートの床
Ｆ    タンク・貯水槽の底の部分
Ｗ    タンク・貯水槽の側壁
Ｔ    タンク・貯水槽の開放部
【図１】
2015174820.tif 000012
【図２】
2015174820.tif 000013
【図３】
2015174820.tif 000014